(57)【要約】【課題】優れた除水効果を有し、かつ長時間除水効果を維持できる透析液を提供する。【解決手段】晶質浸透圧剤及び膠質浸透圧剤を含有する腹膜透析液。前記晶質浸透圧剤として糖を含有するものが好ましく、前記膠質浸透圧剤として低抗原性ゼラチンを含有するものが好ましい。低抗原性ゼラチンは、アミノ酸配列がＧｌｙ−Ｘ−Ｙ−（Ｇｌｙ−Ｘ−Ｙ）ｎ、（Ｇｌｙはグリシンを、ＸおよびＹは任意のアミノ酸を表し、ｎは０以上である）、のペプチドを含有するものが好ましい。【選択図】　図５
2004016615.tif 000002
【特許請求の範囲】
【請求項１】
晶質浸透圧剤及び膠質浸透圧剤を含有する腹膜透析液。
【請求項２】
前記晶質浸透圧剤は糖を含有する請求項１に記載の腹膜透析液。
【請求項３】
前記糖の濃度が０．６〜２．５（質量／容量）％である請求項２に記載の腹膜透析液。
【請求項４】
前記糖が単糖である請求項２または３に記載の腹膜透析液。
【請求項５】
前記単糖がグルコースである請求項４に記載の腹膜透析液。
【請求項６】
前記糖が糖アルコールである請求項２または３に記載の腹膜透析液。
【請求項７】
前記糖アルコールがキシリトールである請求項６に記載の腹膜透析液。
【請求項８】
前記膠質浸透圧剤はゼラチンを含有する請求項１乃至７いずれかに記載の腹膜透析液。
【請求項９】
前記ゼラチンは低抗原性ゼラチンである請求項８に記載の腹膜透析液。
【請求項１０】
前記低抗原性ゼラチンは、平均分子量が３０，０００以下であり、アミノ酸配列がＧｌｙ−Ｘ−Ｙ−（Ｇｌｙ−Ｘ−Ｙ）ｎ、（Ｇｌｙはグリシンを、ＸおよびＹは任意のアミノ酸を表し、ｎは０以上である）、のペプチドを含有する請求項９に記載の腹膜透析液。
【請求項１１】
前記平均分子量が約３，０００または約８，０００である請求項１０に記載の腹膜透析液。
【請求項１２】
前記低抗原性ゼラチンは、平均分子量が３０，０００〜７０，０００であり、アミノ酸配列がＧｌｙ−Ｘ−Ｙ−（Ｇｌｙ−Ｘ−Ｙ）ｎ、（Ｇｌｙはグリシンを、ＸおよびＹは任意のアミノ酸を表し、ｎは０以上である）、のペプチドを含有する請求項９に記載の腹膜透析液。
【請求項１３】
前記平均分子量が約４０，０００または約５０，０００である請求項１２に記載の腹膜透析液。
【請求項１４】
前記ゼラチンは、アミノ酸配列がＧｌｙ−Ｘ−Ｙ−（Ｇｌｙ−Ｘ−Ｙ）ｎ、（Ｇｌｙはグリシンを、ＸおよびＹは任意のアミノ酸を表し、ｎは０以上である）、のペプチドを７０（モル数／全モル数）％以上含有する請求項１０乃至１３いずれかに記載の腹膜透析液。
【請求項１５】
前記ゼラチンの濃度が０．５〜５．０（質量／容量）％である請求項８乃至１４いずれかに記載の腹膜透析液。
【請求項１６】
前記ゼラチンの濃度が２．５（質量／容量）％である請求項１５に記載の腹膜透析液。
【発明の詳細な説明】
【０００１】
【発明の属する技術分野】
本発明は、晶質浸透圧剤及び膠質浸透圧剤を含有する腹膜透析液に関する。
【０００２】
【従来の技術】
腹膜透析は、体液と、腹腔に注入された透析液との間で腹膜を隔てた浸透圧差を利用して体液中の余分な水分を除水すると共に、尿素、窒素、クレアチニン、尿酸等の身体に有害な老廃物を体液中から除去するものである。
【０００３】
腹膜透析液には通常浸透圧剤としてグルコースが添加されており、透析液の浸透圧と、患者の血清浸透圧との差が大きければ除水効果が高くなるため、腹膜透析液中のグルコースは高濃度となっている。
【０００４】
現在市販されている腹膜透析液としては、ダイアニール（バクスター製）、ペリセート（ＪＭＳ製）、ペリトリック（テルモ製）などがある。これら市販の腹膜透析液は、ナトリウムイオンを１３２〜１３５ｍＥｑ／Ｌ、カルシウムイオンを２．３〜４．０ｍＥｑ／Ｌ、マグネシウムイオンを０．５〜１．５ｍＥｑ／Ｌ、塩素イオンを９５〜１０５．５ｍＥｑ／Ｌ、乳酸を３５〜４０ｍＥｑ／Ｌ、グルコースを１．３５〜４．００ｇ／ｄＬを含み、浸透圧は３４４〜５００Ｏｓｍ／Ｌとなっている。
【０００５】
【発明が解決しようとする課題】
しかしながら、浸透圧成分としてグルコースを含有する腹膜透析液には、その使用において以下のような問題がある。グルコースは低分子であるため、腹膜を通して血中に急速に拡散し、腹腔内液の浸透圧は速やかに低下する。そのため、長時間除水効果を維持できず、透析液の早期、頻繁な交換が必要となったり、透析時間を長くすることが必要となったりする。透析液の頻繁な交換は、腹膜血管周囲の組織のＡＧＥｓ（ａｄｖａｎｃｅｄ　ｇｌｙｃａｔｉｏｎ　ｅｎｄ　ｐｒｏｄｕｃｔｓ）化を引き起こす要因となる。ＡＧＥｓ化が起こると、腹膜の限外濾過能が低下し、除水効果が低下することになる。また、透析時間が長くなると、透析により患者に与える負担が大きくなる。
【０００６】
本発明は、上記問題点に鑑みてなされたものであり、長時間除水効果を維持できる透析液を提供することを目的とする。
【０００７】
本発明は、グルコースなどの晶質浸透圧成分を含有する腹膜透析液において、ゼラチンなどの膠質浸透圧成分を添加することにより、上記従来の腹膜透析液の問題点を解決することができ、完成されたものである。
【０００８】
【課題を解決するための手段】
本願第一発明は、晶質浸透圧剤及び膠質浸透圧剤を含有する腹膜透析液である。晶質浸透圧剤と膠質浸透圧剤の双方を含有したことの相乗効果により、どちらかを単独で用いた場合と比較して、浸透圧剤の濃度を変えずに、より長い時間より高い除水効果を維持することが可能となる。
【０００９】
本願第二発明は、本願第一発明の晶質浸透圧剤が糖を含有するものである腹膜透析液である。上記糖の濃度は、０．６〜２．５（質量／容量）％である腹膜透析液が好ましい（本願第三発明）。膠質浸透圧剤との併用による相乗効果が確認されている濃度であるからである。また、前記糖として、単糖を用いることができ（本願第四発明）、前記単糖としてグルコースを用いることができる（本願第五発明）。あるいは、前記糖として、糖アルコールを用いることができ（本願第六発明）、前記糖アルコールとしてキシリトールを用いることができる（本願第七発明）。
【００１０】
本願第八発明は、本願第一〜第七いずれかの発明の膠質浸透圧剤がゼラチンを含有するものである腹膜透析液である。上記ゼラチンは低抗原性ゼラチンが好ましい（本願第九発明）。低抗原性とすることで、例えば従来のゼラチンに対するＩｇＥ抗体を保有していたヒトの血清の半分以上で抗原抗体反応が一切認められず、また認められた場合でも非常に低レベルなものとなる（特開平１１−１２１９６号公報）。
【００１１】
本願第十発明は、第九発明の前記低抗原性ゼラチンが、平均分子量が約３０，０００以下であり、アミノ酸配列がＧｌｙ−Ｘ−Ｙ−（Ｇｌｙ−Ｘ−Ｙ）ｎ、（Ｇｌｙはグリシンを、ＸおよびＹは任意のアミノ酸を表し、ｎは０以上である）、のペプチドを含有するものである腹膜透析液である。すなわち、前記ペプチドは、グリシンがアミノ酸配列上３個目ごとに存在し、アミノ酸配列のＮ末端がグリシンである。このような範囲の分子量を有し、またかかるアミノ酸配列を有するペプチドを含有する低抗原性ゼラチンを用いることにより、透析液に好ましい浸透圧効果をもたらしつつ、体内に長期間反復注入しても抗原抗体反応に基づきアレルギーやショック症状等を誘発しうる有害な生体反応を惹起することがなく、従って浸透圧剤として好適に利用することができる。
【００１２】
本願第十発明の低抗原性ゼラチンは、平均分子量が約３，０００または約８，０００のものを使用することができる（本願第十一発明）。プロテアーゼを用いて、コラーゲンまたはゼラチンのペプチド結合の特定箇所を選択的に切断して低分子化することによって、さらに、反応時間、温度等を制御することによって、比較的均質な上記低分子量を有するペプチドに変換することが可能である。
【００１３】
第十二発明は、第九発明の前記低抗原性ゼラチンが、平均分子量が３０，０００〜７０，０００であり、アミノ酸配列がＧｌｙ−Ｘ−Ｙ−（Ｇｌｙ−Ｘ−Ｙ）ｎ、（Ｇｌｙはグリシンを、ＸおよびＹは任意のアミノ酸を表し、ｎは０以上である）、のペプチドを含有する腹膜透析液である。第十二発明の低抗原性ゼラチンは、平均分子量が約４０，０００または約５０，０００のものを使用することができる（本願第十三発明）。
【００１４】
本願第十四発明は、本願第十乃至十三発明のゼラチンが、アミノ酸配列がＧｌｙ−Ｘ−Ｙ−（Ｇｌｙ−Ｘ−Ｙ）ｎ、（Ｇｌｙはグリシンを、ＸおよびＹは任意のアミノ酸を表し、ｎは０以上である）、のペプチドを７０（モル数／全モル数）％以上含有するものである腹膜透析液である。例えばコラゲナーゼを用いてコラーゲンまたはゼラチンを分解すると、そのアミノ酸配列中に含まれるグリシンのアミノ基側で選択的に切断され、従って、生じる低抗原性ゼラチンにはＮ末端にグリシンを有するものが多く含まれることになり、前記ペプチドを７０（モル数／全モル数）％以上含有する低抗原性ゼラチンを調製することが可能となる。かかる低抗原性ゼラチンは、浸透圧剤としての効果と低抗原性の双方に優れ、本発明において好適に使用されうるのである。
【００１５】
本願第八〜第十四発明において、前記ゼラチンの濃度は０．５〜５．０（質量／容量）％であることが好ましく（本願第十五発明）、さらには２．５（質量／容量）％であることが好ましい（本願第十六発明）。晶質浸透圧剤との併用による相乗効果が確認されている濃度であるからである。
【００１６】
【発明の実施の形態】
本明細書でいう晶質浸透圧とは、腹膜を透過できる低分子に起因する浸透圧をいい、かかる晶質浸透圧成分としては、糖、無機塩類および電解質（例えば、Ｎａ、Ｋ、Ｍｇ、Ｃａ、Ｃｌ、重炭酸、リン酸、乳酸、酢酸、クエン酸等）等が該当する。晶質浸透圧剤は、晶質浸透圧成分を含有するものをいう。本明細書でいう膠質浸透圧とは、腹膜を透過できない高分子に起因する浸透圧をいい、かかる膠質浸透圧成分としては、ゼラチン、アルブミン、グロブリン、デキストラン、ＨＥＳ（ヒドロキシエチルスターチ）等の高分子物質が該当する。膠質浸透圧剤は、膠質浸透圧成分を含有するものをいう。腹膜透析液の浸透圧は、かかる晶質浸透圧と膠質浸透圧からなる。
【００１７】
本発明の腹膜透析液に使用する晶質浸透圧成分としては糖が好ましい。本発明の腹膜透析液に使用できる糖としては、単糖類、二糖類、三糖類、四糖類などが挙げられ、天然型および合成型、α型およびβ型、Ｄ体およびＬ体の何れでも良い。さらに、これらには置換体または誘導体（例えば、デオキシ糖、アミノ糖、硫黄糖、分枝糖、ウロン酸、糖酸、糖アルコールなど）も含まれる。デオキシ糖として２−デオキシグルコース、アベクオース、アミノ糖として２−（アセチルアミノ）−２−デオキシ−Ｄ−グルコース、２−アセトアミド−２−デオキシ−Ｄ−グルコース、Ｎ−アセチル−Ｄ−グルコサミン、Ｄ−ガラクトサミン、硫黄糖として４−チオ−Ｄ−ガラクトース、ウロン酸としてＤ−グルクロン酸、Ｌ−イズロン酸、糖アルコールとしてソルビトール、マルチトール、エリスリトール、ラクチトール、キシリトールなどが挙げられる。
【００１８】
単糖類はその炭素数によりトリオース、テトロース（エリトロース、トレオース）、ペントース（リボース、アラビノース、キシロース、キシルロース、リキソース）、ヘキソース（アロース、アルトロース、グルコース、マンノース、グロース、イドース、ガラクトース、タロース、フルクトース）、ヘプトース、オクトースなどに分類される。さらに、カルボニル基によりアルドース、ケトースに、ヘミアセタール環によりフラノース、ピラノース、セプタノースに分類される。また、鎖状のものはオキソ型、アルデヒド型、ケト型に分類されるが、特にこれら構造に限定されない。単糖類には、例えばキシロース、グルコース、マンノース、ガラクトースなどが挙げられ、二糖類には、例えばトレハロース、スクロース、マルトースなどが挙げられ、三糖類には、例えばラフィノース、ゲンチアノース、メレジトース、フコンルラクトース、シアリルラクトース、マルトトリオース、セロトリオースなどが挙げられ、四糖類には、例えばラクト−Ｎ−テトラオース、ラクト−Ｎ−ネオテトラオース、グロボシドなどが挙げられる。
【００１９】
本発明の腹膜透析液に添加する好ましい糖濃度は、少なくとも０．４（質量／容量）％以上、好ましくは０．６〜５（質量／容量）％、より好ましくは０．６〜２．５（質量／容量）％、さらに好ましくは０．８〜２．５（質量／容量）％である。糖濃度が５％を超えると生体に悪影響を及ぼし、本発明の効果が失われるおそれがある。また、糖は単糖または糖アルコールが好ましい。
【００２０】
本発明の腹膜透析液の膠質浸透圧成分としては、ゼラチンを使用するのが好ましく、さらには、低抗原化されたゼラチンを使用するのが好ましい。抗原抗体反応に基づきアレルギーやショック症状等を誘発しうる有害な生体反応を惹起することがないからである。
【００２１】
本発明の腹膜透析液を構成する低抗原性ゼラチンは、ゼラチンが本来有する抗原性（免疫原性）の１／１０以下程度に、その抗原性が低減されているものを称する。低抗原性ゼラチンは、好ましくはタンパク質であるコラーゲンまたはゼラチン原料を酵素によって特異的な切断箇所で特定の分子量範囲を有するように分解したものであることから、そのアミノ酸組成は原料であるゼラチンとほぼ類似の基本組成となっている。また、低分子化されている事から、一般的に総称される低分子ゼラチンあるいはコラーゲンペプチドと同様のペプチド成分に属するともいえる。但し、低抗原性ゼラチンと、従来の一般的な低分子ゼラチンあるいはコラーゲンペプチドとの“Ｎ末端のアミノ酸”には大きな相違が認められることがすでに判明している（Ｂｉｏ．　Ｐｈａｒｍ．　Ｂｕｌｌ．，　２１，　３３０，　１９９８）ことから、アミノ酸配列としては両者に違いが存在していると推定される。
【００２２】
また、物性の点で、本発明の腹膜透析液を構成する低抗原性ゼラチンは、粘度、旋光度、ゲル化能力などの物理化学的性質の面では原料であるゼラチンとは一部異なる点もあるが、保水性、保護コロイド性、起泡性、結着性、保湿性などの機能的性質の面では原料であるゼラチンと同等の性質を保持している。
【００２３】
本発明の膠質浸透圧成分として、平均分子量が約３０，０００以下のものであって、コラーゲンまたはゼラチンを分解して得られる低抗原性のペプチドを含有する低抗原性のゼラチンを使用することができる。当該ペプチドは、アミノ酸配列がＧｌｙ−Ｘ−Ｙ−（Ｇｌｙ−Ｘ−Ｙ）ｎ、（Ｇｌｙはグリシンを、ＸおよびＹは任意のアミノ酸を表し、ｎは０以上である）、を有するものとする。例えば、平均分子量が約３，０００または約８，０００の低抗原性ゼラチンを使用することができる。
【００２４】
また、本発明の膠質浸透圧成分として、平均分子量が３０，０００〜７０，０００であって、コラーゲンまたはゼラチンを分解して得られる低抗原性のペプチドを含有する低抗原性のゼラチンを使用することができる。当該ペプチドは、Ｇｌｙ−Ｘ−Ｙ−（Ｇｌｙ−Ｘ−Ｙ）ｎ（Ｇｌｙはグリシンを、ＸおよびＹは任意のアミノ酸を表し、ｎは０以上である）で表されるものとする。例えば、平均分子量が約４０，０００または約５０，０００の低抗原性ゼラチンを使用することができる。
【００２５】
本明細書で言うペプチドとは、構成アミノ酸残基の数に限定されるものではなく、オリゴペプチド、ポリペプチドなど、ペプチド結合を含むものであればよい。
【００２６】
コラーゲンまたはゼラチンは、牛、豚、鳥、鯨などの骨、皮、腱または鮫などの魚皮を原料として、既知の方法に従い調製する。遺伝子組換え法を利用して製造されたコラーゲンまたはゼラチンを使用してもよい。本発明の低抗原性ゼラチンを製造するために好ましい材料として、高純度ゼラチン（宮城化学工業社製）を挙げることができる。コラーゲンまたはゼラチンの分解は、酸、アルカリ等を利用した加水分解でもよいが、均質に所望の分解物を得ることができるという利点に鑑みれば、酵素を触媒として利用した加水分解を行うことが好ましい。酵素は、プロテアーゼ、特にアミノ酸配列の内部の特定の箇所を選択的に切断することができる、いわゆるエンドペプチダーゼ、例えばコラゲナーゼ、ペプシン、トリプシン、パパイン、キモトリプシン、パンクレアチン、アクチナーゼなどを単独または組み合わせて使用できる。
【００２７】
この酵素のうち特に、コラーゲン特有のアミノ酸配列である（Ｇｌｙ−Ｘ−Ｙ）ｎ’（Ｇｌｙはグリシンを、ＸおよびＹは任意のアミノ酸を表し、ｎ’は自然数である）のグリシンのアミノ基側を特異的に切断することができるコラゲナーゼを用い、コラーゲンまたはゼラチンを特異的に分解して得られる、分子量が２００〜２０，０００であり、かつアミノ酸配列がＧｌｙ−Ｘ−Ｙ−（Ｇｌｙ−Ｘ−Ｙ）ｎ、（Ｇｌｙはグリシンを、ＸおよびＹは任意のアミノ酸を表し、ｎは０以上である）、のペプチド成分を７０％以上含む低抗原性ゼラチンは、本発明の浸透圧剤として好ましい。コラゲナーゼは、Ｃｌｏｓｔｒｉｄｉｕｍ　ｈｉｓｔｌｙｔｉｃｕｍ、Ｓｔｒｅｐｔｏｍｙｃｅｓ　ｐａｒｖｕｌｕｓなどの細菌、放線菌、真菌などに由来するものを用いることができる。これらの酵素遺伝子を遺伝子工学的に特定のベクターに組み込んで、大腸菌、乳酸菌、酵母などの他の動物に産生させて得られる遺伝子組換え酵素で、類似の基質特異性を有するものを用いてもよい。
【００２８】
このようにして調製される膠質浸透圧成分を晶質浸透圧成分とともに腹膜透析液に配合すると、長時間にわたり高い除水効果を維持できるという特徴が見られる。
【００２９】
このようにして調製される膠質浸透圧成分は、溶解性が高く粘稠度が低いので、透析液への使用に有効である。かかる浸透圧成分はやはり、原料であるゼラチンを酵素的に分解したものである為、そのアミノ酸組成は原料であるゼラチンとほぼ類似の組成となっている。一方で、低抗原性ゼラチンを調製する際に用いる分解酵素の作用部位の特異性を反映し、特にコラゲナーゼ酵素分解によって得られる低抗原性ゼラチンのＮ末端のアミノ酸の殆ど、即ち少なくとも５０％以上がグリシンとなっている。
【００３０】
また、低抗原性ゼラチンを所定の分子量範囲を有するものとなるように調製するには、例えば、反応時間、ｐＨ、基質に対する酵素量、反応温度等の諸条件により分解酵素の活性を制御するとよい。低抗原化のレベルとその用途に応じて、低抗原性ゼラチンの平均分子量を適宜選択できる。すなわち、平均分子量が３０，０００〜７０，０００の低抗原性ゼラチンを調製するためには、酵素処理は例えば、豚皮由来のゼラチン試料（高純度ゼラチン、宮城化学工業社製）２０００ｇに対してＧＬＤ特異的プロテアーゼ（宮城化学工業社製）を用い、ｐＨ７．０〜７．８で緩衝液中、３６〜３９℃にて１〜８時間反応させることによって行われる。そして、平均分子量が３０，０００以下であり、かつアミノ酸配列がＧｌｙ−Ｘ−Ｙ−（Ｇｌｙ−Ｘ−Ｙ）ｎ、（Ｇｌｙはグリシンを、ＸおよびＹは任意のアミノ酸を表し、ｎは０以上である）、のペプチド成分を７０％以上含む低抗原性ゼラチンを調製するには、例えば、豚皮由来のゼラチン試料（高純度ゼラチン、宮城化学工業社製）４０００ｇに対してコラゲナーゼを用い、ｐＨ７．０〜７．８で緩衝液中、３６〜４０℃にて１〜８時間反応させることによって行われる。酵素は、適切な担体、例えばトヨパール（東ソー社製）、キトパール（富士紡績社製）等に常法に従って共有結合させ、固定化酵素としたものを利用すると、反応後の低抗原性ゼラチンを酵素から容易に分離することができる。反応は、酵素分解反応を一定に保持するため、ｐＨセンサー、温度センサー、圧力計などの複数の計測器が設置されたバイオリアクターにて行うとよい。この際、酵素反応前の試料は、水で膨潤、溶解して孔徑約０．２２μｍのメンブレン・フィルターをセットしたろ過器でろ過滅菌しておくとよい。滅菌後の試料溶液を、固定化酵素を充填したバイオリアクターに供給し、好ましくは毎時２〜５０Ｌの運転流速で反応を進行させるとよい。
【００３１】
このように酵素を用いて調製した低抗原性ゼラチンをそのまま膠質浸透圧剤として使用することができるが、製剤化時の配合処方および腹膜透析液の種類などに応じて、２種類〜数種類の成分に精製／分画して使用することも可能である。精製／分画は、例えば分配クロマトグラフィー、疎水クロマトグラフィー、ゲル濾過クロマトグラフィー、アフィニティークロマトグラフィー等のクロマトグラフィーにより行うとよい。このような後処理を行った後、凍結乾燥もしくはスプレードライ（噴霧乾燥器）で粉末化して製品化してもよい。
【００３２】
本発明の、腹膜透析液を初めとする薬剤に配合するに適した高品質を有する低抗原性ゼラチンを調製するためには、原料となるコラーゲンまたはゼラチン自体の品質も優れている必要がある。すなわち、新鮮で不純物が少なく、比較的均質成分からなる原料を用いることが好ましい。一般に、比較的品質の高いゼラチンは、ゼリー強度が高い傾向にあるが、本発明における酵素等によって分解された低抗原性ゼラチンのゲル化力は大きく減少し、これに伴い粘度も低下する。上述の条件下に低抗原性化を行った場合の６．６７％濃度におけるゼリー強度は、分解度が低めで分子量が大きい（平均分子量３０，０００〜７０，０００）低抗原性ゼラチンの場合では２０〜１５０ブルーム、分解度が進んで分子量が小さい（平均分子量３０，０００以下）低抗原性ゼラチンの場合は、ゼリー強度が計測不能となるレベルまで低下することが判明している。浸透圧成分である低抗原性ゼラチンのゲル化力が低いということは、腹膜透析液などの製剤化を実施する上でメリットともなり、腹膜透析液の種類および用途に応じて適宜選択すればよい。
【００３３】
本発明の腹膜透析液に添加するゼラチン濃度は、好ましくは０．５〜５．０（質量／容量）％であり、さらに好ましくは２．５（質量／容量）％である。
【００３４】
本発明の腹膜透析液は、上記浸透圧剤の他に、無機塩類および水を必須成分とし、目的に応じてアルカリ化剤または有機酸、栄養成分などを配合できる。
【００３５】
無機塩類は透析液中で電解質イオンとして存在するものであり、ナトリウム、カリウム、マグネシウム、カルシウム、塩素などのイオンを生じる塩類でよい。アルカリ化剤または有機酸としては乳酸ナトリウム、クエン酸ナトリウム、リンゴ酸ナトリウム、酢酸ナトリウム、ピルビン酸ナトリウム、コハク酸ナトリウム、炭酸水素ナトリウムなどがある。これらは透析液において緩衝剤としても機能する。
【００３６】
腹膜透析液に配合される無機塩類の好ましいイオン濃度は、ナトリウムイオンが１１０〜２５０ｍＥｑ／Ｌ、カリウムイオンが０〜５ｍＥｑ／Ｌ、マグネシウムイオンが０〜４ｍＥｑ／Ｌ、カルシウムイオンが０〜６ｍＥｑ／Ｌ、塩素イオンが８０から１２０ｍＥｑ／Ｌである。アルカリ化剤または有機酸の濃度は１００ｍＥｑ／Ｌまでが好ましい。
【００３７】
本発明の腹膜透析液のｐＨは、上記のように塩類に適当なアルカリ化剤または有機酸を添加することにより調整する。その範囲は６．５〜７．５が望ましいが、添加するアルカリ化剤または有機酸、栄養成分により、６〜８の範囲であれば問題ない。この範囲外であると、腹膜機能に対する障害や生体の酸塩基平衡に変化をきたすうえ、注入時に患者に対して痛み等の不快感をもたらす可能性がある。
【００３８】
本発明の腹膜透析液の浸透圧は、配合される浸透圧成分の分子量等によって異なるが、２５０〜６００ｍＯｓｍ／Ｌの範囲内であればよい。２５０ｍＯｓｍ／Ｌより低いと浸透圧効果が得られず、６００ｍＯｓｍ／Ｌより高いと急激な除水が起こる。
【００３９】
本発明の腹膜透析液は、晶質浸透圧剤、膠質浸透圧剤、上記の塩類、アルカリ化剤などを所定の濃度となるよう超限外濾過水、逆浸透水または蒸留水などに溶解し、滅菌することにより得られる。またこの溶液を凍結乾燥した製剤としてもよい。また、透析液をバイアルやポリエチレンバッグなどの容器に充填した製剤、使用時に滅菌水によって溶解する凍結乾燥製剤、２種類以上の溶液または溶液と凍結乾燥品を複室構造の容器に充填し使用時にこれらを無菌的に混合できる製剤などの形態にできる。
【００４０】
本発明の腹膜透析液を投与するには、適当な腹腔カテーテルを通じて腹腔内に適量（通常、成人に対して０．３〜２Ｌ）を注入する。４〜２４時間滞液後、同じカテーテルから排液を除去する。この操作を１日１〜５回繰り返し行う。本発明の腹膜透析液における晶質浸透圧剤、膠質浸透圧剤の濃度は、透析患者の過剰体液量に応じて適宜増減してよいものとする。
【００４１】
以下、実施例を挙げて本発明をさらに詳細に説明するが、本発明はもとより、これら実施例によって限定的に解釈されるべきでない。尚、以下の実施例においては、晶質浸透圧剤としてグルコース等の糖を、膠質浸透圧剤として低抗原性ゼラチンを用いている。
【００４２】
【実施例】
〈実施例１：透析膜を用いたｉｎ　ｖｉｔｒｏでの透析効果の比較試験〉
１．透析液の調製
［１］マックスウェル液１Ｓ（扶桑薬品工業社製）の調製例
ナトリウムイオンが１４０．０ｍＥｑ／Ｌ、カルシウムイオンが４．５ｍＥｑ／Ｌ、マグネシウムイオンが１．５ｍＥｑ／Ｌ、塩素イオンが１０１．０ｍＥｑ／Ｌ、乳酸が４５．０ｍＥｑ／Ｌ、グルコースが１．３ｇ／ｄＬとなる溶液（マックスウェル液１Ｓ）を調製した。
【００４３】
［２］マックスウェル液２Ｓ（扶桑薬品工業社製）の調製例
ナトリウムイオンが１４０．０ｍＥｑ／Ｌ、カルシウムイオンが４．５ｍＥｑ／Ｌ、マグネシウムイオンが１．５ｍＥｑ／Ｌ、塩素イオンが１０１．０ｍＥｑ／Ｌ、乳酸が４５．０ｍＥｑ／Ｌ、グルコースが７ｇ／ｄＬとなる溶液（マックスウェル液１Ｓ）を調製した。
【００４４】
［３］グルコース非含有腹膜透析液の調製例
本明細書でいうグルコース非含有腹膜透析液とは、マックスウェル液からグルコースを除いた処方の溶液のことである。即ち、グルコース非含有腹膜透析液は、塩化ナトリウム５．５５ｇ、塩化カルシウム２水和物０．３３ｇ、塩化マグネシウム６水和物０．１５ｇ、乳酸ナトリウム（７２．８３％）６．９２ｇを蒸留水１Ｌに溶解して調製した。
【００４５】
［４］低抗原性ゼラチン腹膜透析液の調製例
本明細書でいう低抗原性ゼラチン腹膜透析液とは、低抗原性ゼラチンを含有する腹膜透析液をいう。ここでは低抗原性ゼラチンとしてフリアラジンＭ（平均分子量約３，０００、宮城化学工業社製）、フリアラジンＡＤ（平均分子量約８，０００、宮城化学工業社製）、ＧＬＤ２ゼラチン（平均分子量約５０，０００、宮城化学工業社製）及びＧＬＤ３ゼラチン（平均分子量約４０，０００、宮城化学工業社製）を用い、それぞれをグルコース非含有腹膜透析液に４（質量／容量）％の濃度となるように添加して低抗原性ゼラチン腹膜透析液を調製し、オートグレーブ（１２１℃、２０分）により滅菌した。
【００４６】
（１）フリアラジンＭの調製例
高純度ゼラチン（豚皮由来、宮城化学工業社製）２０００ｇを７Ｌの内毒素不含（ＥＴフリー）の純水で膨潤した後、同様にＥＴフリーの熱水を加えて溶解した。次いで、アルカリ溶液（４Ｎ水酸化ナトリウム水溶液）を用いてｐＨを７．４に調整し、４０℃まで冷却後、保温した。一方、酵素分解に使用するための固定化酵素は、１００ｍｇの複数種のコラゲナーゼ（高純度品）を５０ｇのトヨパール（東ソー社製）に常法に従って共有結合させて調製した。担体への結合量は結合前後の２８０ｎｍにおける吸光度の変化を計測して算出したが、この結果９９％以上の結合率が確認された。
【００４７】
調製された固定化酵素は、酵素分解反応を一定に保持するため、ｐＨセンサー、温度センサーおよび圧力計などの複数の計測器が設置されたバイオリアクター（宮城化学工業社製）に充填し、酵素分解用緩衝液（ｐＨ７．４）で十分に洗浄し、平衡化しておいた。
【００４８】
膨潤・溶解した上記高純度ゼラチンの無菌化を図るため、孔徑０．２２μｍのメンブレン・フィルターをセットしたろ過器でろ過した後、固定化酵素を充填したバイオリアクターに供給し、酵素分解を行った。バイオリアクターの運転流速は毎時５Ｌに、またカラムの温度は３９±１℃に制御した。バイオリアクターから出てきた酵素反応終了液を分取し、陰イオン交換樹脂および陽イオン交換樹脂を用いたイオン交換処理などの後処理を行った後、スプレードライ（噴霧乾燥器）で粉末化し、分子量２００〜２０，０００、平均分子量約３，０００の低抗原性ゼラチン（フリアラジンＭ）を製した。
【００４９】
（２）フリアラジンＡＤの調製例
上記フリアラジンＭの調製例に準じて、分子量２，０００〜２０，０００、平均分子量約８，０００の低抗原性ゼラチン（フリアラジンＡＤ）を製した。但し、フリアラジンＭとはバイオリアクターにおける処理の程度が異なる。
【００５０】
フリアラジンＭ及びフリアラジンＡＤは、島津製作所社製、アミノ酸配列分析装置を用いた分析の結果から、Ｎ末端アミノ酸の９２％がグリシンとなっているペプチド成分を含んでいることが明らかとなった。従って、コラーゲンに特有のアミノ酸配列である（Ｇｌｙ−Ｘ−Ｙ）ｎ’、（Ｇｌｙはグリシンを、ＸおよびＹは任意のアミノ酸を表し、ｎ’は自然数である）、ならびに出発原料が高純度ゼラチンであることなどを考慮すれば、コラゲナーゼによって高純度ゼラチンを特異的部位で切断して得られた上記低抗原性ゼラチンは、アミノ酸配列がＧｌｙ−Ｘ−Ｙ−（Ｇｌｙ−Ｘ−Ｙ）ｎ、（Ｇｌｙはグリシンを、ＸおよびＹは任意のアミノ酸を表し、ｎは０以上である）、のペプチド成分を９０（モル数／全モル数）％以上、少なくとも７０（モル数／全モル数）％以上含んでいるものと考えられた。従来のゼラチンの製法、すなわち酸処理による分解、加熱処理による分解、あるいは両者を組み合わせた分解などによって製せられたペプチド成分の場合、そのＮ末端アミノ酸がグリシンである割合は３３（モル数／全モル数）％前後から、多くとも４０（モル数／全モル数）％台である。これに比して、「上記低抗原性ゼラチン中に含まれるペプチド成分において、Ｎ末端アミノ酸の９０％以上がグリシンである」ことは、本発明による処の低抗原性ゼラチンの特徴を示すものである。
【００５１】
なお、長期保存をする必要がある低抗原性ゼラチンのロットについては、その粉末を再溶解後、凍結乾燥を行って低温室で保存した。
【００５２】
（３）ＧＬＤ２ゼラチンの調製例
フリアラジンＭの調製例と同様に、高純度ゼラチン（宮城化学工業社製）２０００ｇを７Ｌの内毒素不含（ＥＴフリー）の純水で膨潤した後、同様にＥＴフリーの熱水を加えて溶解した。次いで、アルカリ溶液を用いてｐＨを７．４に調整し、４０℃まで冷却後、保温した。一方、酵素分解に使用する固定化酵素は、１００ｍｇのＧＬＤ特異的プロテアーゼ（宮城化学工業社製）を５０ｇのキトパール（富士紡績社製）担体に常法に従って共有結合させて調製した。担体への結合量は結合前後の２８０ｎｍにおける吸光度の変化を計測して算出したが、この結果９９％以上の結合率であることが確認された。
【００５３】
調製された固定化酵素は、酵素分解反応を一定に保持するため、ｐＨセンサー、温度センサーおよび圧力計などの複数の計測器が設置されたバイオリアクター（宮城化学工業社製）に充填し、酵素分解用緩衝液（ｐＨ７．４）で充分に洗浄し、平衡化しておいた。
【００５４】
膨潤・溶解した上記高純度ゼラチンの無菌化を図るため、孔徑０．２２μｍのメンブレン・フイルターをセットしたろ過器でろ過した後、固定化酵素を充填したバイオリアクターに供給し、酵素分解を行った。バイオリアクターの運転流速は毎時５Ｌに、またカラムの温度は３９±１℃に制御した。バイオリアクターから出てきた酵素反応終了液を分取し、陰イオン交換樹脂および陽イオン交換樹脂を用いたイオン交換処理などの後処理を行った後、スプレードライ（噴霧乾燥器）で粉末化し、平均分子量約５０，０００の低抗原性ゼラチン（ＧＬＤ２ゼラチン）を製した。
【００５５】
（４）ＧＬＤ３ゼラチンの調製例
上記ＧＬＤ２ゼラチンの調製例に準じて、平均分子量約４０，０００の低抗原性ゼラチン（ＧＬＤ３ゼラチン）を製した。但し、ＧＬＤ２ゼラチンとはバイオリアクターにおける処理の程度が異なる。
【００５６】
［５］下記試験の試料となる腹膜透析液の調製例
マックスウェル液１Ｓ、マックスウェル液２Ｓ、低抗原性ゼラチン腹膜透析液、グルコース非含有腹膜透析液を適量混合して、グルコース濃度がそれぞれ０．４（質量／容量）％、０．８（質量／容量）％、１．３（質量／容量）％、２．５（質量／容量）％　で、低抗原性ゼラチンが含有されていないグルコース含有腹膜透析液、グルコース濃度がそれぞれ０．４（質量／容量）％、０．８（質量／容量）％、１．３（質量／容量）％、２．５（質量／容量）％　で、低抗原性ゼラチンの濃度が２．５（質量／容量）％のグルコース加２．５（質量／容量）％低抗原性ゼラチン腹膜透析液、グルコースを含有しない２．５（質量／容量）％低抗原性ゼラチン腹膜透析液を調製し下記の試験における試料とした。また、グルコース非含有腹膜透析液単独でも下記の試験における試料とした。尚、上記試料を調製する際に、グルコース濃度が０．４（質量／容量）％、０．８（質量／容量）％の溶液については、マックスウェル液１Ｓを用い、グルコース濃度が１．３（質量／容量）％、２．５（質量／容量）％の溶液については、マックスウェル液２Ｓを用いた。以下では、（質量／容量）％を％と称する。
２．試験方法
１．［５］で調製した透析液の効果を調べるため、透析膜としてディスポダイアライザー（セルロースエステル膜、φ１０ｍｍ、５ｍＬ容量、分画分子量２５，０００、フナコシ製）を使用してｉｎ　ｖｉｔｒｏ　透析試験を実施した。上記において試料として調製した透析液の各１．５ｍＬを各ダイアライザー内に添加し、電子天秤（ＡＥ２４０、Ｍｅｔｔｌｅｒ製）を用いて重量を測定した（透析前重量）。この各ダイアライザを、予め３７℃に加温した５０ｍＬのハンクス平衡塩溶液（フェノールレッド不含、ＧＩＢＣＯ製、２９０ｍＯＳｍ／Ｌ）中に浸漬し、透析を開始した。透析開始後、各ダイアライザーは３７℃に維持した恒温槽にて水平方向に振盪させながらインキュベートした。透析開始の６時間後に各ダイアライザーを取り出し、電子天秤を用いて重量を測定した（透析後重量）。透析後重量から、各透析前重量を減じ、１ｇを１ｍＬに換算した各吸水量を算出した。さらに、この値より、１．５ｍＬを１００％として透析開始後の各吸水率を求めた。なお、グルコース非含有透析液を対照として用い、また、試験結果の比較にはステューデントのｔ−検定を用い、危険率ｐ＜０．０５をもって有意とした。３．試験結果
［１］フリアラジンＭ腹膜透析液を用いて調製した試料に関する試験結果
グルコース非含有腹膜透析液、グルコース含有腹膜透析液、２．５％フリアラジンＭ腹膜透析液、グルコース加２．５％フリアラジンＭ腹膜透析液を試料として試験結果を図１に示した。
【００５７】
対照としたグルコース非含有腹膜透析液の吸水率は７．４％であり、グルコース濃度が　０．４％、０．８％、１．３％及び　２．５％のグルコース含有腹膜透析液の吸水率はそれぞれ１７．０％、１６．７％、２６．２％及び４８．１％であった。また、２．５％フリアラジンＭ腹膜透析液の吸水率は５０．９％であり、０．４％、０．８％、１．３％及び２．５％グルコース加２．５％フリアラジンＭ腹膜透析液の吸水率はそれぞれ６０．８％、６８．２％、８１．８％及び１０１．７％であった。グルコース含有腹膜透析液の吸水率から対照の吸水率を減じた値をグルコース含有腹膜透析液の正味の吸水率とし、その値を２．５％フリアラジンＭ腹膜透析液の吸水率に加えたものをグルコース加２．５％フリアラジンＭ腹膜透析液の吸水率の理論値とすると、０．８％、１．３％及び２．５％グルコース加２．５％フリアラジンＭ腹膜透析液の吸水率の実測値は理論値に比較してそれぞれ８．１％、１２．２％及び１０．２％有意に増加していた。０．４％グルコース加２．５％フリアラジンＭ腹膜透析液の吸水率の実測値は理論値と比較して有意な差が認めらなかった。このことから、２．５％フリアラジンＭ腹膜透析液に０．８％以上のグルコースを添加することで吸水率が相乗的に増加することが示された。ゆえに、少なくとも０．６％以上のグルコースを添加するのが好ましい。
【００５８】
［２］フリアラジンＡＤ腹膜透析液を用いて調製した試料に関する試験結果
グルコース非含有腹膜透析液、グルコース含有腹膜透析液、２．５％フリアラジンＡＤ腹膜透析液、グルコース加２．５％フリアラジンＡＤ腹膜透析液を試料とした試験結果を図２に示した。グルコース非含有腹膜透析液、グルコース含有腹膜透析液の試験結果は、上記［１］で示した通りである。
【００５９】
２．５％フリアラジンＡＤ腹膜透析液の吸水率は４３．７％であり、また、０．４％、０．８％、１．３％及び２．５％グルコース加２．５％フリアラジンＡＤ腹膜透析液の吸水率はそれぞれ５６．７％、６４．０％、７５．０％及び１０１．３％であった。フリアラジンＭの場合と同様にして吸水率の理論値と実測値を比較すると、０．８％、１．３％及び２．５％グルコース加２．５％フリアラジンＡＤ腹膜透析液の吸水率の実測値は理論値に比較してそれぞれ１１．１％、１２．６％及び１６．９％有意に増加していたが、０．４％グルコース加２．５％フリアラジンＡＤ腹膜透析液の吸水率の実測値は理論値と比較して有意な差が認めらなかった。このように、２．５％フリアラジンＡＤ腹膜透析液においても０．８％以上のグルコースを添加することで吸水率が相乗的に増加することが明らかとなった。ゆえに、少なくとも０．６％以上のグルコースを添加するのが好ましい。
【００６０】
［３］ＧＬＤ２ゼラチン腹膜透析液を用いて調製した試料に関する試験結果
グルコース非含有腹膜透析液、グルコース含有腹膜透析液、２．５％ＧＬＤ２ゼラチン腹膜透析液、グルコース加２．５％ＧＬＤ２ゼラチン腹膜透析液を試料とした試験結果を図３に示した。グルコース非含有腹膜透析液、グルコース含有腹膜透析液の試験結果は、上記［１］で示した通りである。
【００６１】
２．５％ＧＬＤ２ゼラチン腹膜透析液の吸水率は２１．１％、また、０．４％、０．８％、１．３％及び２．５％グルコース加２．５％ＧＬＤ２ゼラチン腹膜透析液の吸水率はそれぞれ３３．２％、３７．８％、５６．６％及び７３．８％であった。フリアラジンＭ及びフリアラジンＡＤの場合と同様にして吸水率の理論値と実測値を比較すると、０．８％、１．３％及び　２．５％グルコース加２．５％ＧＬＤ２ゼラチン腹膜透析液の吸水率の実測値は理論値に比較してそれぞれ７．５％、１６．８％及び１２．０％有意に増加していたが、０．４％グルコース加２．５％ＧＬＤ２ゼラチン腹膜透析液の吸水率の実測値は理論値と比較して有意な差が認めらなかった。このように、２．５％ＧＬＤ２ゼラチン腹膜透析液においても　０．８％以上のグルコースを添加することで吸水率が相乗的に増加することが明らかとなった。ゆえに、少なくとも０．６％以上のグルコースを添加するのが好ましい。
【００６２】
［４］ＧＬＤ３ゼラチン腹膜透析液を用いて調製した試料に関する試験結果
グルコース非含有腹膜透析液、グルコース含有腹膜透析液、２．５％ＧＬＤ３ゼラチン腹膜透析液、グルコース加２．５％ＧＬＤ３ゼラチン腹膜透析液を試料とした試験結果を図４に示した。グルコース非含有腹膜透析液、グルコース含有腹膜透析液の試験結果は、上記［１］で示した通りである。
【００６３】
２．５％ＧＬＤ３ゼラチン腹膜透析液の吸水率は３０．６％、また、０．４％、０．８％、１．３％及び２．５％グルコース加２．５％ＧＬＤ３ゼラチン腹膜透析液の吸水率はそれぞれ３８．０％、４５．８％、６６．４％及び８０．６％であった。同様にして吸水率の理論値と実測値を比較すると、０．８％、１．３％及び２．５％グルコース加２．５％ＧＬＤ３ゼラチン腹膜透析液の吸水率の実測値は理論値に比較してそれぞれ６．０％、１７．１％及び９．３％有意に増加していたが、０．４％グルコース加２．５％ＧＬＤ３ゼラチン腹膜透析液の吸水率の実測値は理論値と比較して有意な差が認めらなかった。このように、２．５％ＧＬＤ３ゼラチン腹膜透析液においても０．８％以上のグルコースを添加することで吸水率が相乗的に増加することが明らかとなった。ゆえに、少なくとも０．６％以上のグルコースを添加するのが好ましい。
【００６４】
〈実施例２：ラットを用いた　ｉｎ　ｖｉｖｏ　透析効果比較試験〉
１．透析液の調製
実施例１と同様の方法により、マックスウェル液１Ｓ、マックスウェル液２Ｓ、４％フリアラジンＭ腹膜透析液、グルコース非含有腹膜透析液を調製した。そして、これらの透析液を適量混合して、グルコースの濃度が０．１％、０．２％、０．４％、０．８％、１．３％、２．５％で、フリアラジンＭを含有しないグルコース含有腹膜透析液、１．３％及び２．５％フリアラジンＭ腹膜透析液、グルコース濃度が０．１％、０．２％、０．４％、０．８％で、フリアラジンＭの濃度が１．３％及び２．５％のグルコース加フリアラジンＭ腹膜透析液を調製した。尚、上記試料を調製する際に、グルコース濃度が０．１％、０．２％、０．４％、０．８％の溶液については、マックスウェル液１Ｓを用い、グルコース濃度が１．３％、２．５％の溶液については、マックスウェル液２Ｓを用いた。
２．正常ラットを用いた　ｉｎ　ｖｉｖｏ　透析試験の方法
１．で調製した透析液の効果をｉｎ　ｖｉｖｏ　透析試験で調べるため、７〜８週齡のＳＤ系雄性ラット（日本クレア社製）を１週間程度、通常条件で予備飼育した後、８〜１０週齡（体重：３５６〜４１３ｇ）にて使用した。
【００６５】
ラットをペントバルビタールナトリウム（大日本製薬社製）４０ｍｇ／ｋｇの腹腔内投与により麻酔し、３７℃に維持した保温パッド上で背位に固定した。シリンジポンプに接続したポリエチレンカニューレを大腿静脈に留置し、インフュージョンポンプ（ＳＴＣ−５２１、テルモ社製）を用いて０．１％のグルコースを含むリンゲル液を５ｍＬ／時間の流速で持続注入した。次いで腹部皮膚を切開し、剣状突起より尾側方向に１〜２ｃｍの腹壁に小孔を開けた。腹腔内にシリコンチューブを介してシリンジポンプに接続したらせん状の腹腔カテーテル（プライムテック社製）を留置し、外科用接着剤（アロンアルファＡ、三共社製）にて固定した。シリンジポンプにて、腹腔カテーテルを介して、腹腔内に２０ｍＬの各透析液（上記１．で調製した試料）を１ｍＬ／秒の速度で注入した。注入後、直ちにシリンジポンプにて腹腔内液を回収し、液量を測定し（０時間）、腹腔内液を再び腹腔内に注入した。その後、透析液を腹腔内に滞留させた状態で、１、２、４、６および８時間後に腹腔内液の回収、液量測定と再注入を繰り返し行った。透析中、グルコース加リンゲル液の持続注入を継続し、１時間毎にペントバルビタールナトリウム１０〜２０ｍｇ／ｋｇを静脈内に投与することにより麻酔を維持した。試験結果の比較にはスチューデントのｔ−検定を用い、２．５％フリアラジンＭに対して危険率ｐ＜０．０５をもって有意とした。
３．シスプラン誘発腎不全ラットを用いた　ｉｎ　ｖｉｖｏ　透析試験の方法
ラットにシスプラチン（ブリストルマイヤーズスクイプ社製）を投与して腎不全を誘発させた。７〜８週齢のＳＤ系雄性ラット（日本クレア社製）を１週間程度予備飼育した後、シスプラチンを５ｍｇ／１０ｍＬ／ｋｇ　の用量で静脈内投与し、さらに４日間飼育し、使用した。測定操作は正常ラットの場合と同様の方法で行った。
４．結果
結果の一例として、腎不全ラットにおける２．５％フリアラジンＭ腹膜透析液及び０．８％グルコース加２．５％フリアラジンＭ腹膜透析液での除水パターンを０．８％グルコース含有腹膜透析液での結果と合わせて図５に示した。０．８％グルコース含有腹膜透析液では、透析開始２時間後に除水量が最大となったが、その量は２ｍＬ程度と少量で、２時間以降は減少した。２．５％フリアラジンＭ腹膜透析液では透析開始４時間まで除水量は緩やかに増加し、それ以後ほぼ一定（５ｍＬ程度）で推移した。０．８％グルコース加２．５％フリアラジンＭ腹膜透析液では透析開始８時間まで増加が続き、除水量は９ｍＬ以上となった。各測定時点における０．８％グルコース加２．５％フリアラジンＭ腹膜透析液での除水量は２．５％フリアラジンＭ腹膜透析液に比較して有意に増加しおり、フリアラジンＭとグルコースの相乗効果が示された。正常ラットにおいてもほぼ同様の除水パターンが得られたが、腎不全ラットの方が除水量が多く、また、除水効果がより持続する傾向が見られた。０．１％、０．２％及び０．４％グルコース加２．５％フリアラジンＭ腹膜透析液の場合も２．５％フリアラジンＭ腹膜透析液に比較して除水量の増加傾向が見られたが、グルコース濃度の低下に伴い、除水効果は減弱した。フリアラジンＭの濃度を１．３％にして検討した結果、０．８％グルコース加１．３％フリアラジンＭ腹膜透析液での除水量は１．３％フリアラジンＭ腹膜透析液に比較して有意に増加しており、フリアラジンＭとグルコースの相乗効果が示された。０．４％グルコース添加でも除水量に増加傾向が見られたが、０．１％及び０．２％のグルコース添加では明確な除水量の増加は見られなかった。以上のことから、経時的除水量の減少改善が示された。ゆえに、少なくとも０．４％、好ましくは０．６％、より好ましくは０．８％以上のグルコースを添加するのが好ましい。
５．総除水量の比較
上記試験結果から、種々の濃度のフリアラジンＭ（０％、１．３％、２．５％）とグルコース（０％、０．１％、０．２％、０．４％、０．８％、１．３％、２．５％）の組み合わせとして各試料を表し、各試料の総除水量の比較を図６、図７に示した。図６には、正常ラットについての結果を、図７には腎不全ラットについての結果を示した。正常ラット、腎不全ラットともに１．３％フリアラジンＭ腹膜透析液は１．３％グルコース腹膜透析液と、また、２．５％フリアラジンＭ腹膜透析液は２．５％グルコース腹膜透析液とほぼ同等の除水量を示した。０．４％あるいは０．８％グルコースを添加した１．３％及び２．５％フリアラジンＭ腹膜透析液ではグルコース無添加フリアラジンＭ腹膜透析液に比較して除水量が増加した。特に、０．８％グルコースを添加した場合、１．３％フリアラジンＭ腹膜透析液ではグルコース無添加のフリアラジンＭ腹膜透析液に比較して、９６〜１２０％、２．５％フリアラジンＭ腹膜透析液では　５３〜６８％除水量が有意に増加し（危険率ｐ＜０．０５）、グルコース添加による相乗効果が示された。ゆえに、少なくとも０．４％、好ましくは０．６％、より好ましくは０．８％以上のグルコースを添加するのが好ましい。
【００６６】
〈実施例３：各種糖の検討〉
添加する糖の種類と除水量の関係を検討するため、腎不全ラットを用いて０．８％のグルコース及びキシリトールを添加した２．５％フリアラジンＭ腹膜透析液で除水量を比較した。試験方法は、実施例２に示すものと同様である。その結果を図８に示した。キシリトールを添加した場合、グルコース添加の場合と同様に糖無添加の２．５％フリアラジンＭ腹膜透析液に比較して危険率ｐ＜０．０５で除水量の有意な増加が見られ、その増加量は５０％程度であった。０．８％キシリトール単独の場合の除水量は、０．８％グルコース単独と同程度の除水量を示した。一方、０．８％キシリトールを２．５％フリアラジンＭに添加することでグルコースの場合と同様に除水量が相乗的に増加した。グルコース以外の糖であっても、フリアラジンＭと組み合わせることで除水量の相乗的な増加が生じることが示された。
【００６７】
【発明の効果】
本発明によると、時間が経っても高い除水効果が維持される腹膜透析液が提供される。このような、透析液によると、頻繁な交換が不要となり、頻繁な交換により患者に与える弊害を小さくすることができる。また、除水時間に対する除水効果が高いため、十分な除水効果を得るための透析時間を従来より短くすることができ、かかる点からも透析により患者に与える負担を小さくすることができる。
【００６８】
さらに、晶質浸透圧剤と膠質浸透圧剤を併用することにより、除水効果が相乗的に増加する濃度を提供することができるので、浸透圧剤の総添加量を減ずることが可能となり、浸透圧剤により患者にもたらされる副作用を減ずることができる。
【００６９】
また、晶質浸透圧剤と膠質浸透圧剤を併用することにより、それぞれを単独で使用した場合と比較して、同じ除水力を確保するための各浸透圧剤の配合量を少なくすることができるので、各浸透圧剤により引き起こされる副作用等を考慮して、各浸透圧剤の配合量を決定することができる。すなわち、本発明によると、副作用の小さい腹膜透析液を提供することができる。
【図面の簡単な説明】
【図１】フリアラジンＭ及びグルコースを含有する透析液について、透析膜を用いた　ｉｎ　ｖｉｔｒｏ　透析試験における、６時間後の吸水率を示すグラフである。
【図２】フリアラジンＡＤ及びグルコースを含有する透析液について、透析膜を用いたｉｎ　ｖｉｔｒｏ　透析試験における、６時間後の吸水率を示すグラフである。
【図３】ＧＬＤ２ゼラチン及びグルコースを含有する透析液について、透析膜を用いたｉｎ　ｖｉｔｒｏ　透析試験における、６時間後の吸水率を示すグラフである。
【図４】ＧＬＤ３ゼラチン及びグルコースを含有する透析液について、透析膜を用いたｉｎ　ｖｉｔｒｏ　透析試験における、６時間後の吸水率を示すグラフである。
【図５】腎不全ラットを用いた　ｉｎ　ｖｉｖｏ　透析試験における、除水量の経時変化を示すグラフである。
【図６】正常ラットを用いた　ｉｎ　ｖｉｖｏ　透析試験における総除水量を示すグラフである。
【図７】腎不全ラットを用いた　ｉｎ　ｖｉｖｏ　透析試験における総除水量を示すグラフである。
【図８】添加する糖の種類が異なる透析液について、腎不全ラットを用いた　ｉｎ　ｖｉｖｏ　透析試験における総除水量を示すグラフである。
【図１】
2004016615.tif 000003
【図２】
2004016615.tif 000004
【図３】
2004016615.tif 000005
【図４】
2004016615.tif 000006
【図５】
2004016615.tif 000007
【図６】
2004016615.tif 000008
【図７】
2004016615.tif 000009
【図８】
2004016615.tif 000010